(57)【要約】【課題】本発明は除湿装置に関するもので、静電霧化装置のマイナスに帯電した帯電微粒子水の発生量をより安定させることを目的とするものである。【解決手段】そしてこの目的を達成するために本発明は、本体ケース４内にヒートポンプと除湿ローター１３とを備え、第一の吸気口１から空気を放熱器７、除湿ローター１３の放湿部１４、吸熱器９を順次介して排気口３へと送風する第一の送風路１０と、第二の吸気口２から空気を吸熱器９を介して排気口３へと送風する第二の送風路１１と、これらに送風するための送風手段１２を設け、除湿ローター１３の吸湿部１５は第一と第二の送風路の吸熱器９と排気口３の間に設け、第二の送風路１１と送風手段１２と連通する連通手段１７に静電霧化手段１８を設け、この静電霧化手段１８の放熱フィン２３は、第二の送風路１１内に突出した構成とした除湿装置。【選択図】図２
2011183332.tif 000002
【特許請求の範囲】
【請求項１】
第一、第二の吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記第一の吸気口から本体ケース内に吸気した空気を放熱器、吸熱器を順次介して排気口へと送風する第一の送風路と、前記第二の吸気口から本体ケース内に吸気した空気を吸熱器を介して排気口へと送風する第二の送風路と、これら第一、第二の送風路に送風するための送風手段を設けるとともに、前記第一の送風路の放熱器と吸熱器の間に除湿ローターの放湿部を設け、この除湿ローターの吸湿部は前記第一と第二の送風路の吸熱器と排気口の間に設け、前記第二の送風路と前記送風手段と連通する連通手段を設け、この連通手段に、静電霧化手段を設け，この静電霧化手段は、放電電極と、この放電電極に対向して配置された対向電極と、これらの対向電極と放電電極間に高電圧を印加する高電圧印加部と、前記放電電極を冷却する冷却部と、この冷却部の熱を放熱する放熱フィンとを備え、この放熱フィンは、前記第二の送風路内に突出した構成とした除湿装置。
【請求項２】
第一、第二の吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記第一の吸気口から本体ケース内に吸気した空気を放熱器、吸熱器を順次介して排気口へと送風する第一の送風路と、前記第二の吸気口から本体ケース内に吸気した空気を吸熱器を介して排気口へと送風する第二の送風路と、前記第一の吸気口から本体ケース内に吸気した空気を放熱器を介して排気口へと送風する第三の送風路と、前記第一の送風路の放熱器と吸熱器の間に除湿ローターの放湿部を設け、この除湿ローターの吸湿部は前記第一と第二の送風路の吸熱器と排気口の間に設けるとともに、送風手段を備え、この送風手段は、第一の送風手段と第二の送風手段とから形成し、
前記第一の送風手段は、前記第一、第二の送風路に送風し、前記第二の送風手段は、前記第三の送風路に送風するために設け、前記第二の送風路と前記第二の送風手段と連通する連通手段を設け、この連通手段に、静電霧化手段を設け、この静電霧化手段は、放電電極と、この放電電極に対向して配置された対向電極と、これらの対向電極と放電電極間に高電圧を印加する高電圧印加部と、前記放電電極を冷却する冷却部と、この冷却部の熱を放熱する放熱フィンとを備え、この放熱フィンは、前記第二の送風路内に突出した構成とした除湿装置。
【請求項３】
静電霧化手段の前記放熱フィンは、前記本体ケースの一方側の側面部に隣接した構成である請求項１又は２に記載の除湿装置。
【請求項４】
静電霧化手段の前記放熱フィンは、複数の平板形状の平板部で形成され、この平板部が所定の空間を有し対向して構成し、前記本体ケースの一方側の側面部に対して略直角方向に位置すると共に、前記第一の送風手段によって、前記第二の送風路である第二の吸気口２から吸熱器９へ流れる空気の流れ方向に対しても略直角方向に位置する構成とした請求項１〜３のいずれか一つに記載の除湿装置。
【請求項５】
放熱フィンの前記平板部の平面は、垂直方向に位置する構成とした請求項１〜４のいずれか一つに記載の除湿装置。
【請求項６】
放熱フィンの上部には、空間部を設けた請求項１〜５のいずれか一つに記載の除湿装置。
【請求項７】
放熱フィンの上部には、側面部から突出した突出部を設けた請求項１〜６のいずれか一つに記載の除湿装置。
【請求項８】
連通手段は、略筒形状で、前記送風手段から前記本体ケースの一方側の前記側面部に突出し、前記連通手段を囲み、前記静電霧化手段を前記送風手段に固定する固定部を設けた構成とした請求項１〜７のいずれか一つに記載の除湿装置。
【請求項９】
固定部は、前記第二の吸気口に対向した位置に構成とした請求項１〜８のいずれか一つに記載の除湿装置。
【発明の詳細な説明】
【技術分野】
【０００１】
本発明は、静電霧化現象を利用して帯電微粒子水を生成する静電霧化装置を有する除湿装置に関する。
【背景技術】
【０００２】
従来のこの種除湿装置の構造は、以下のようになっていた。
【０００３】
すなわち、第一の吸気口、第二の吸気口と第一の排気口、第二の排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記第一の吸気口から本体ケース内に吸気した空気を吸熱器、放熱器を順次介して第一の排気口へと送風する第一の送風路と、第二の吸気口から本体ケース内に吸気した空気を静電霧化手段を介して第二の排気口へと送風する第二の送風路と、これら第一の送風路に送風するための第一の送風手段と、第二の送風路に送風するための第二の送風手段を設けるとともに、第一の送風路に静電霧化手段の放熱フィンが位置する構成となっていた（例えば下記特許文献１）。
【先行技術文献】
【特許文献】
【０００４】
【特許文献１】特開２００８−２３８０１７号公報
【発明の概要】
【発明が解決しようとする課題】
【０００５】
上記従来例における課題は、マイナスに帯電した帯電微粒子水の発生量をより安定させるということであった。
【０００６】
すなわち、従来の物においては、放電電極を冷却部によって冷却することにより、放電電極の先端に空気中の水分を結露させ、その結露させた水に高電圧を印加し、マイナスの電荷を集中させることにより帯電微粒子水を生成していた。ここで、冷却部で発生する熱は、放熱フィンに吸熱器、放熱器を順次介して除湿された空気よって冷却されるものである。すなわち、放熱フィンに流れる空気は、除湿されると共に、加熱されたものである。つまり、除湿風量のノッチを強から弱へ切り替えた場合など、それに伴い放熱フィンに流れる空気の風量が変化すると共に、温度も変化し、冷却部の放熱量が変化するので、放電電極の先端での結露速度が変化し、マイナスに帯電した帯電微粒子水の発生量にバラツキが発生するものである。
【０００７】
そこで本発明は、静電霧化装置のマイナスに帯電した帯電微粒子水の発生量をより安定させるということを目的とするものである。
【課題を解決するための手段】
【０００８】
そしてこの目的を達成するために本発明は、第一の吸気口、第二の吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記第一の吸気口から本体ケース内に吸気した空気を放熱器、吸熱器を順次介して排気口へと送風する第一の送風路と、前記第二の吸気口から本体ケース内に吸気した空気を吸熱器を介して排気口へと送風する第二の送風路と、これら第一、第二の送風路に送風するための送風手段を設けるとともに、前記第一の送風路の放熱器と吸熱器の間に除湿ローターの放湿部を設け、この除湿ローターの吸湿部は前記第一と第二の送風路の吸熱器と排気口の間に設け、前記第二の送風路と前記送風手段と連通する連通手段を設け、この連通手段に、静電霧化手段を設け、この静電霧化手段は、放電電極と、この放電電極に対向して配置された対向電極と、これらの対向電極と放電電極間に高電圧を印加する高電圧印加部と、前記放電電極を冷却する冷却部と、この冷却部の熱を放熱する放熱フィンとを備え、この放熱フィンは、前記第二の送風路内に突出した構成とし、これにより初期の目的を達成するものである。
【発明の効果】
【０００９】
以上のように本発明は、第一の吸気口、第二の吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記第一の吸気口から本体ケース内に吸気した空気を放熱器、吸熱器を順次介して排気口へと送風する第一の送風路と、前記第二の吸気口から本体ケース内に吸気した空気を吸熱器を介して排気口へと送風する第二の送風路と、これら第一、第二の送風路に送風するための送風手段を設けるとともに、前記第一の送風路の放熱器と吸熱器の間に除湿ローターの放湿部を設け、この除湿ローターの吸湿部は前記第一と第二の送風路の吸熱器と排気口の間に設け、前記第二の送風路と前記送風手段と連通する連通手段を設け、この連通手段に、静電霧化手段を設け、この静電霧化手段は、放電電極と、この放電電極に対向して配置された対向電極と、これらの対向電極と放電電極間に高電圧を印加する高電圧印加部と、前記放電電極を冷却する冷却部と、この冷却部の熱を放熱する放熱フィンとを備え、この放熱フィンは、前記第二の送風路内に突出した構成としたものであるので、静電霧化装置のマイナスに帯電した帯電微粒子水の発生量をより安定させることができる。
【００１０】
すなわち、本発明においては、第二の送風路と送風手段と連通する連通手段を設け、この連通手段に、静電霧化手段を設けたものである。放電電極を冷却部によって冷却することにより、放電電極の先端に空気中の水分を結露させ、その結露させた水に高電圧を印加し、マイナスの電荷を集中させることにより帯電微粒子水を生成していた。ここで、冷却部で発生する熱は、放熱フィンに第二の吸気口から本体ケース内に吸気した空気よって冷却されるものである。すなわち、放熱フィンに流れる空気は、室温の空気である。つまり、除湿風量のノッチを強から弱へ切り替えた場合にも、放熱フィンに流れる空気は、風量は変化するものの、温度は室温であるため、冷却部の放熱量、放電電極の先端での結露速度の変化を抑制できるものである。
【００１１】
結果として、静電霧化装置のマイナスに帯電した帯電微粒子水の発生量をより安定させることができるものである。
【図面の簡単な説明】
【００１２】
【図１】本発明の実施形態１を示す斜視図
【図２】同垂直断面概略図
【図３】同水平断面概略図
【図４】同静電霧化手段を示す概略図
【図５】本発明の実施形態２を示す垂直断面概略図
【図６】同水平断面概略図
【図７】同垂直断面概略図
【発明を実施するための形態】
【００１３】
以下本発明の実施形態について図面を参照しながら説明する。
【００１４】
（実施の形態１）
以下本発明の一実施形態を添付図面を用いて説明する。
【００１５】
図１、２に示すように、本実施形態の除湿装置は、第一の吸気口１、第二の吸気口２と排気口３を有する本体ケース４と、この本体ケース４内にヒートポンプ５を備えている。このヒートポンプ５は、圧縮機６と、圧縮機６の下流に順次設けた放熱器７、膨張手段８、吸熱器９とにより形成している。第一の吸気口１から本体ケース４内に吸気した空気を放熱器７、吸熱器９を順次介して排気口３へと送風する第一の送風路１０と、第二の吸気口２から本体ケース４内に吸気した空気を吸熱器９を介して排気口３へと送風する第二の送風路１１とを備えている。これら第一の送風路１０、第二の送風路１１に送風するための送風手段１２を設けている。第一の送風路１０の放熱器７と吸熱器９の間に除湿ローター１３の放湿部１４を設け、この除湿ローター１３の吸湿部１５は第一の送風路１０と第二の送風路１１の吸熱器９と排気口３の間に設けている。
【００１６】
ここで、除湿動作について説明すると、送風手段１２によって第一の吸気口１から本体ケース４内に吸気した空気は、放熱器７で加熱され、高温で相対湿度の低い空気となり、除湿ローター１３の放湿部１４へ送風される。この放湿部１４に送風された空気は、放湿部１４の湿気を取り込み湿度の高い状態となって吸熱器９へ送られる。この吸熱器９で結露させて除湿し、吸湿部１５に達する。そこで、乾燥状態となった除湿ローター１３の放湿部１４が駆動手段１６によって回転し、吸湿部１５となり、この吸湿部１５で吸熱器９で除湿されなかった湿度を吸湿し除湿する。この除湿した空気を、送風手段１２によって、排気口３から室内へ送風する。
【００１７】
本実施形態における特徴は、図２、３、４に示すように、第二の送風路１１と送風手段１２と連通する連通手段１７を設け、この連通手段１７に、静電霧化手段１８を設けている。連通手段１７は、送風手段１２から本体ケース４の一方側の側面部３０方向へ突出する略円形筒形状である。静電霧化手段１８は、放電電極１９と、この放電電極１９に対向して配置された対向電極２０と、これらの対向電極２０と放電電極１９間に高電圧を印加する高電圧印加部２１と、放電電極１９を冷却する冷却部２２と、この冷却部２２の熱を放熱する放熱フィン２３とを備え、この放熱フィン２３は、第二の送風路１１内に突出した構成とした点である。
【００１８】
すなわち、本発明においては、第二の送風路１１と送風手段１２と連通する連通手段１７を設け、この連通手段１７に、静電霧化手段１８を設けたものである。放電電極１９を冷却部２２によって冷却することにより、放電電極１９の先端に空気中の水分を結露させ、その結露させた水に高電圧を印加し、マイナスの電荷を集中させることにより帯電微粒子水を生成していた。ここで、冷却部２２で発生する熱は、放熱フィン２３に第二の吸気口２から本体ケース４内に吸気した空気よって冷却されるものである。すなわち、放熱フィン２３に流れる空気は、室温の空気である。つまり、除湿風量のノッチを強から弱へ切り替えた場合にも、放熱フィン２３に流れる空気は、風量は変化するものの、温度は室温であるため、冷却部２２の放熱量、放電電極１９の先端での結露速度の変化が抑制できるものである。
【００１９】
結果として、静電霧化装置のマイナスに帯電した帯電微粒子水の発生量をより安定させることができるものである。
【００２０】
また、帯電微粒子水中のヒドロキシルラジカルが洗濯物の生乾き特有の臭いと反応し、それを酸化させることで、臭いの発生を抑制することができるのである。すなわち、除湿した空気と共に、帯電微粒子水を排気口３から室内へと送風できるので、洗濯物に送風することにより、洗濯物を乾燥できると共に、洗濯物の生乾き特有の臭いと反応し、それを酸化させることで、臭いの発生を抑制することができるのである。なお、ヒドロキシルラジカルはヒドロキシ基（水酸基）に反応するラジカルであり、このラジカルは通常２個１組で軌道上を回転しているはずの電子が一つしかないので、電気的に非常に不安定で、周りの原子や分子から欠けた電子を奪おうとするために、酸化力が非常に強いものであり、この酸化作用により洗濯物の生乾き特有の臭いが分解、除去されるのである。
【００２１】
（実施の形態２）
以下、本発明の実施の形態２における除湿装置について図面を参照しながら説明する。なお、実施の形態１の構成と同様の構成を有するものについては、同一符号を付してその説明を省略する。図５、６に示すごとく、本実施形態の除湿装置は、第一の吸気口１、第二の吸気口２と排気口３を有する本体ケース４と、この本体ケース４内にヒートポンプ５を備えている。ヒートポンプ５は、圧縮機６と、圧縮機６の下流に順次設けた放熱器７、膨張手段８、吸熱器９とにより形成している。
【００２２】
第一の吸気口１から本体ケース４内に吸気した空気を放熱器７、吸熱器９を順次介して排気口３へと送風する第一の送風路１０と、第二の吸気口２から本体ケース４内に吸気した空気を吸熱器９を介して排気口３へと送風する第二の送風路１１と、第一の吸気口１から本体ケース４内に吸気した空気を放熱器７を介して排気口３へと送風する第三の送風路２４と、第一の送風路１０の放熱器７と吸熱器９の間に除湿ローター１３の放湿部１４を設け、この除湿ローター１３の吸湿部１５は第一の送風路１０と第二の送風路１１の吸熱器９と排気口３の間に設けているとともに、送風手段２５を備えている。
【００２３】
この送風手段２５は、第一の送風手段２６と第二の送風手段２７とから形成している。第一の送風手段２６は、第一の送風路１０、第二の送風路１１に送風し、第二の送風手段２７は、第三の送風路２４に送風するものである。第二の送風路１１と第二の送風手段２７と連通する連通手段２８を設け、この連通手段２８に、静電霧化手段１８を設けている。
【００２４】
静電霧化手段１８は、放電電極１９と、この放電電極１９に対向して配置された対向電極２０と、これらの対向電極２０と放電電極１９間に高電圧を印加する高電圧印加部２１と、放電電極１９を冷却する冷却部２２と、この冷却部２２の熱を放熱する放熱フィン２３とを備えている。この放熱フィン２３は、第二の送風路内に突出した構成としたものである。
【００２５】
すなわち、本発明においては、第二の送風路１１と第二の送風手段２７と連通する連通手段２８を設け、この連通手段２８に、静電霧化手段１８を設けたものである。放電電極１９を冷却部２２によって冷却することにより、放電電極１９の先端に空気中の水分を結露させ、その結露させた水に高電圧を印加し、マイナスの電荷を集中させることにより帯電微粒子水を生成していた。ここで、第一の送風手段２６によって、第二の送風路１１である第二の吸気口２から吸熱器９へ流れる空気が、放熱フィン２３に当たることにより、冷却部２２でから伝わった熱を放熱させるものである。すなわち、放熱フィン２３に流れる空気は、室温の空気である。つまり、除湿風量のノッチを強から弱へ切り替えた場合にも、放熱フィン２３に流れる空気は、一定の室温の温度であるため、冷却部２２の放熱量、放電電極１９の先端での結露速度の変化が抑制できるものである。
【００２６】
結果として、静電霧化装置のマイナスに帯電した帯電微粒子水の発生量をより安定させることができるものである。
【００２７】
また、除湿した空気と、加熱した空気と共に、帯電微粒子水を排気口３から室内へと送風できるので、洗濯物に送風することにより、洗濯物を乾燥できると共に、洗濯物の生乾き特有の臭いと反応し、それを酸化させることで、臭いの発生を抑制することができるのである。
【００２８】
また、静電霧化手段１８の放熱フィン２３は、本体ケース４の一方側の側面部に隣接した構成である。具体的には、静電霧化手段１８は、送風手段２５と本体ケース４の一方側の側面部３０との間に位置し、放熱フィン２３が、側面部３０と隣接したものである。
【００２９】
すなわち、第一の送風手段２６によって、第二の送風路１１である第二の吸気口２から吸熱器９へ流れる空気が、送風手段２５と本体ケース４の一方側の側面部３０との間を流れる。ここで、放熱フィン２３が、側面部３０と隣接しているので、側面部３０に沿って流れる空気が放熱フィン２３に当たり易くなり、冷却部２２でから伝わった熱を放熱フィン２３で効率よく放熱することができるものである。
【００３０】
また、図６、７に示すように、静電霧化手段１８の放熱フィン２３は、複数の平板形状の平板部２３ａで形成され、この平板部２３ａが所定の空間を有し対向して構成し、本体ケース４の一方側の側面部３０に対して略直角方向に位置すると共に、第一の送風手段２６によって、第二の送風路１１である第二の吸気口２から吸熱器９へ流れる空気の流れ方向に対しても略直角方向に位置する構成としたものである。
【００３１】
すなわち、第一の送風手段２６によって、本体ケース４の一方側の側面部３０と放熱フィン２３との間を流れる空気は、放熱フィン２３の平板部２３ａへ当たり易くなり、冷却部２２でから伝わった熱を放熱フィン２３で効率よく放熱することができるものである。
【００３２】
また、放熱フィン２３の平板部２３ａの平面は、垂直方向に位置する構成としたものである。具体的には、平板部２３ａと平板部２３ａとの間にある空間が、本体ケース４の一方側の側面部３０、および上下方向に開口したものである。
【００３３】
すなわち、冷却部２２から放熱フィン２３の平板部２３ａに伝わった熱は、平板部２３ａと平板部２３ａとの間の空間に溜まることなく、上方向に上昇気流となり抜けやすいので、冷却部２２でから伝わった熱を放熱フィン２３で効率よく放熱することができるものである。
【００３４】
また、放熱フィン２３の上部には、空間部３１を設けたものである。これにより、冷却部２２から放熱フィン２３の平板部２３ａに伝わった熱は、平板部２３ａと平板部２３ａとの間の空間に溜まることなく、上方向に上昇気流となり抜けやすいので、冷却部２２でから伝わった熱を放熱フィン２３で効率よく放熱することができるものである。
【００３５】
また、放熱フィン２３の上部には、側面部３０から突出した突出部３２を設けたものである。具体的には、側面部３０から内方へ突出した突出部３２は、略横長箱形状であり、この下面３２ａは本体ケース４の前後方向に延びた略平面形状である。
【００３６】
すなわち、第一の送風手段２６によって、送風手段２５と本体ケース４の一方側の側面部３０との間を流れる空気の一部が、突出部３２の下面３２ａに沿って流れるので、この流れによって、平板部２３ａと平板部２３ａとの間の空気が誘引され、上方向に抜け易くなるので、冷却部２２でから伝わった熱を放熱フィン２３で効率よく放熱することができるものである。
【００３７】
また、連通手段２８は、略筒形状で、送風手段２５から本体ケース４の一方側の側面部３０に突出する構成とし、この連通手段２８を囲み、静電霧化手段１８を送風手段２５に固定する固定部２９を設けている。
【００３８】
具体的には、連通手段２８は、送風手段２５である第二の送風手段２７から本体ケース４の一方側の側面部３０方向へ突出する略円形筒形状である。この連通手段２８を囲み、静電霧化手段１８を送風手段２５に固定する略四角筒形状である固定部２９を設けている。
【００３９】
ここで、略四角筒形状である固定部２９は、送風手段２５と本体ケース４の一方側の側面部３０との間を流れる気流方向において上流側に位置し、送風手段２５と本体ケース４の一方側の側面部３０との間を流れる空気の気流方向に対して直角方向に位置する平面部２９ａを有するものである。
【００４０】
すなわち、送風手段２５と本体ケース４の一方側の側面部３０との間を流れる空気が、固定部２９の平面部２９ａに当たると、この平面部２９ａに当たった空気の一部が、放熱フィン２３へ流れるので、冷却部２２でから伝わった熱を放熱フィン２３で効率よく放熱することができるものである。
【００４１】
また、固定部２９は、第二の吸気口２に対向した位置に構成としたものである。すなわち、送風手段２５と本体ケース４の一方側の側面部３０との間を流れる空気が固定部２９に当たり易く、固定部２９の平面部２９ａに当たると、この平面部２９ａに当たった空気の一部が、放熱フィン２３へ流れるので、冷却部２２でから伝わった熱を放熱フィン２３で効率よく放熱することができるものである。
【産業上の利用可能性】
【００４２】
以上のように本発明は、第一の吸気口、第二の吸気口と排気口を有する本体ケースと、この本体ケース内に設けられたヒートポンプとを備え、前記ヒートポンプは、圧縮機と、圧縮機の下流に順次設けた放熱器、膨張手段、吸熱器とにより形成し、前記第一の吸気口から本体ケース内に吸気した空気を放熱器、吸熱器を順次介して排気口へと送風する第一の送風路と、前記第二の吸気口から本体ケース内に吸気した空気を吸熱器を介して排気口へと送風する第二の送風路と、これら第一、第二の送風路に送風するための送風手段を設けるとともに、前記第一の送風路の放熱器と吸熱器の間に除湿ローターの放湿部を設け、この除湿ローターの吸湿部は前記第一と第二の送風路の吸熱器と排気口の間に設け、前記第二の送風路と前記送風手段と連通する連通手段を設け、この連通手段に、静電霧化手段を設け、この静電霧化手段は、放電電極と、この放電電極に対向して配置された対向電極と、これらの対向電極と放電電極間に高電圧を印加する高電圧印加部と、前記放電電極を冷却する冷却部と、この冷却部の熱を放熱する放熱フィンとを備え、この放熱フィンは、前記第二の送風路内に突出した構成としたものであるので、静電霧化装置のマイナスに帯電した帯電微粒子水の発生量をより安定させることができる。
【００４３】
すなわち、本発明においては、第二の送風路と送風手段と連通する連通手段を設け、この連通手段に、静電霧化手段を設けたものである。放電電極を冷却部によって冷却することにより、放電電極の先端に空気中の水分を結露させ、その結露させた水に高電圧を印加し、マイナスの電荷を集中させることにより帯電微粒子水を生成していた。ここで、冷却部で発生する熱は、放熱フィンに第二の吸気口から本体ケース内に吸気した空気よって冷却されるものである。すなわち、放熱フィンに流れる空気は、室温の空気である。つまり、除湿風量のノッチを強から弱へ切り替えた場合にも、放熱フィンに流れる空気は、風量は変化するものの、温度は室温であるため、冷却部の放熱量、放電電極の先端での結露速度の変化を抑制できるものである。
【００４４】
結果として、静電霧化装置のマイナスに帯電した帯電微粒子水の発生量をより安定させることができるものである。
【符号の説明】
【００４５】
１      第一の吸気口
２      第二の吸気口
３      排気口
４      本体ケース
５      ヒートポンプ
６      圧縮機
７      放熱器
８      膨張手段
９      吸熱器
１０    第一の送風路
１１    第二の送風路
１２    送風手段
１３    除湿ローター
１４    放湿部
１５    吸湿部
１６    駆動手段
１７    連通手段
１８    静電霧化手段
１９    放電電極
２０    対向電極
２１    高電圧印加部
２２    冷却部
２３    放熱フィン
２３ａ  平板部
２４    第三の送風路
２５    送風手段
２６    第一の送風手段
２７    第二の送風手段
２８    連通手段
２９    固定部
２９ａ  平面部
３０    側面部
３１    空間部
３２    突出部
３２ａ  下面
【図１】
2011183332.tif 000003
【図２】
2011183332.tif 000004
【図３】
2011183332.tif 000005
【図４】
2011183332.tif 000006
【図５】
2011183332.tif 000007
【図６】
2011183332.tif 000008
【図７】
2011183332.tif 000009